(57)【要約】      （修正有）【課題】大小便検知センサ、おむつ及び監視システムを提供する。【解決手段】大小便検知センサは全体がベルト状をなし、第一ベースシートに設けられる第一、第二及び第三導電性ストリップを含み、第二又は第三導電性ストリップの中部には一つの誤警報貫通孔５が設けられ、対応する他方の導電性ストリップ上にはバリア層６が被覆され、誤警報貫通孔５は対応する導電性ストリップを二段に分割しており、誤警報貫通孔５及び離間層はセンサを大便検知域ＡＡと小便検知域ＢＢとに分ける。さらに上述のセンサ付きおむつと監視システムとを含む。大小便検知域ＡＡを仕切るように大小便検知センサ上の導電性ストリップ上にバリア層６を設け、吸収コア層１２の中部に仕切り域Ｄを設けて大小便の検知の誤警報を防止し、且つ無線通信モジュールにより通信トリガ装置とインテリジェントターミナルとの通信を実現し、インテリジェントターミナルを利用して大小便がされたことを喚起する。【選択図】図５
0003210792.tif 000002
【実用新案登録請求の範囲】
【請求項１】
全体がベルト状をなし、親水性の第一ベースシートと、第一ベースシートに設けられる第一導電性ストリップ、第二導電性ストリップ及び第三導電性ストリップと、第一接着剤層と、第一接着剤層の表面に設けられる剥離ライナとを含む大小便検知センサにおいて、
前記第二導電性ストリップ、第三導電性ストリップは、それぞれ前記第一導電性ストリップの両側に位置し、前記第一導電性ストリップと離間し且つ平行になっており、
前記第二又は第三導電性ストリップの中部には一つの誤警報貫通孔が設けられ、対応する他方の導電性ストリップ上にはバリア層が被覆され、前記誤警報貫通孔は、対応する導電性ストリップを二段に分割しており、
前記バリア層は、通信トリガ装置に接続するためのセンサの先端から始まり、且つ長さがセンサの先端から誤警報貫通孔までの垂直長さより長いが、センサの長さよりは短く、
前記誤警報貫通孔及び離間層は、センサを大便検知域と小便検知域とに分けることを特徴とする大小便検知センサ。
【請求項２】
前記第一、二、三導電性ストリップには、それぞれ第一、二、三導電性接続部が設けられ、前記第一、二、三導電性接続部は、センサの先端に設けられることを特徴とする請求項１に記載の大小便検知センサ。
【請求項３】
前記バリア層の幅は導電性ストリップより大きいことを特徴とする請求項１に記載の大小便検知センサ。
【請求項４】
おむつ本体を含むおむつにおいて、
前記おむつ本体上に請求項１から３のいずれか一項に記載の大小便検知センサを設け、前記第一〜第三導電性ストリップは、着用者の股部を通ることができ、着用者が使用する際に、前記大小便検知センサの前記大便検知域と前記小便検知域は、順に着用者の肛門部と陰部に順に対応することを特徴とするおむつ。
【請求項５】
前記おむつには、上から順に、親水性面層、第一導流層、吸収コア層、第二導流層及び複合下地膜が設けられ、前記大小便検知センサは、前記親水性面層と前記第一導流層との間に設けられることを特徴とする請求項４に記載のおむつ。
【請求項６】
前記吸収コア層は、前記大小便検知センサの前記小便検知域に位置することを特徴とする請求項５に記載のおむつ。
【請求項７】
前記吸収コア層の中部に仕切り域があり、前記大小便検知センサの前記誤警報貫通孔は、仕切り域に位置することを特徴とする請求項５に記載のおむつ。
【請求項８】
前記第一、第二、第三導電性ストリップ間の電気的特徴を収集するための収集ユニット、
収集された電気的特徴に基づいて着用者が排便したか否かを判断し、且つ大便と小便を区分するための処理ユニット、及び
インテリジェントターミナルとの通信に用いられ、大小便の検知情報をインテリジェントターミナルに送信する無線通信モジュールを含む一つの通信トリガ装置をさらに含むことを特徴とする請求項４に記載のおむつ。
【請求項９】
インテリジェントターミナルと請求項４に記載のおむつとを含み、前記おむつは、無線通信モジュールにより前記インテリジェントターミナルに接続されて大小便がされたことを喚起することを特徴とする大小便監視システム。
【請求項１０】
前記インテリジェントターミナルは、携帯電話又はタブレットパソコンを含むことを特徴とする請求項９に記載の大小便監視システム。
【考案の詳細な説明】
【技術分野】
【０００１】
本考案は、スマートおむつに係り、具体的には、大小便検知センサ、おむつ及び監視システムに関する。
【背景技術】
【０００２】
本考案に記載されたおむつは、一般に各種の紙おむつ及びパンツ型紙おむつを指す。紙おむつ及びパンツ型紙おむつは、使用しやすいという特徴を有するので、多く使用されつつあり、赤ちゃんや老人に良く使われる日用品となっている。しかしながら、従来のおむつは、着用者が排便したか否かを保護者に喚起することができず、看護者が常に観察する必要があり、且つおむつを迅速に交換できないため、これにより着用者に不快感を与えてしまう場合が多い。おむつにセンサを設けることにより、着用者が排便すると警報を出して看護者に提示することで、上述の問題を克服できる。
【０００３】
従来の大小便検知センサは、主に吸水層と、導電性材料からなるストリップ状電極層とを含み、主に大便又は小便における導電材の電気的特性を利用して排便又は排尿を検知する。使用の際に、人の身体的特徴に基づいて小便検知域と大便検知域とに分けられるが、水分子の拡散原理により、小便域と大便域の水分子が互いに拡散し易くなってしまったり、又は使用者の尿量が極めて少ない場合には大小便の検知を正確に区分できなくなり、大小便の誤警報が生じ易くなってしまったりする。
【考案の概要】
【考案が解決しようとする課題】
【０００４】
上述の技術課題を解決するため、本考案は、大小便の誤警報に関する技術的な難題を解決すべく、大小便検知センサ、おむつ及び監視システムを提供することを目的としている。
【課題を解決するための手段】
【０００５】
本考案に用いられる技術態様は以下の通りである。全体がベルト状をなし、親水性の第一ベースシートと、第一ベースシートに設けられる第一導電性ストリップ、第二導電性ストリップ及び第三導電性ストリップと、第一接着剤層と、第一接着剤層の表面に設けられる剥離ライナとを含む大小便検知センサにおいて、前記第二導電性ストリップ、第三導電性ストリップは、それぞれ第一導電性ストリップの両側に位置し、第一導電性ストリップと離間し且つ平行になっており、第二又は第三導電性ストリップの中部には一つの誤警報貫通孔が設けられ、対応する他方の導電性ストリップ上にはバリア層が被覆され、前記誤警報貫通孔は、対応する導電性ストリップを二段に分割しており、前記バリア層は、通信トリガ装置に接続するためのセンサの先端から始まり、且つ長さがセンサの先端から誤警報貫通孔までの垂直長さより長いが、センサの長さよりは短く、前記誤警報貫通孔及び離間層は、センサを大便検知域と小便検知域とに分ける。
【０００６】
さらに、第一、二、三導電性ストリップには、それぞれ第一、二、三導電性接続部が設けられ、第一、二、三導電性接続部は、センサの先端に設けられる。
【０００７】
さらに、バリア層の幅は導電性ストリップより大きい。
【０００８】
おむつ本体を含むおむつにおいて、おむつ本体上に上述のような大小便検知センサを設け、第一〜第三導電性ストリップは、着用者の股部を通ることができ、着用者が使用する際に、大小便検知センサの大便検知域と小便検知域は、順に着用者の肛門部と陰部に対応する。
【０００９】
さらに、おむつには、上から順に、親水性面層、第一導流層、吸収コア層、第二導流層及び複合下地膜が設けられ、大小便検知センサは、親水性面層と第一導流層との間に設けられる。
【００１０】
さらに、吸収コア層は、大小便検知センサの小便検知域に位置する。
【００１１】
さらに、吸収コア層の中部に仕切り域があり、大小便検知センサの誤警報貫通孔は、仕切り域に位置する。
【００１２】
さらに、おむつは、第一〜第三導電性接続部の間の電気的特徴を収集するための収集ユニット、収集された電気的特徴に基づいて着用者が排便したか否かを判断し、且つ大便と小便を区分するための処理ユニット、及びインテリジェントターミナルとの通信に用いられ、大小便の検知情報をインテリジェントターミナルに送信する無線通信モジュールを含む一つの通信トリガ装置をさらに含む。
【００１３】
大小便監視システムにおいて、おむつとインテリジェントターミナルとを含み、おむつは、無線通信モジュールによりインテリジェントターミナルに接続されて大小便がされたことを喚起する。
【００１４】
さらに、インテリジェントターミナルは、携帯電話又はタブレットパソコンを含む。
【００１５】
本考案は、以下の有益な効果を有する。本考案は、大小便検知センサ上の導電性ストリップ上にバリア層を設けることにより、大小便の誤警報を回避する。
【００１６】
大小便検知域を仕切るように、吸収コア層の中部に仕切り域を設けて、大小便検知による誤警報を防止する。
【００１７】
無線通信モジュールにより通信トリガ装置とインテリジェントターミナルとの通信を実現し、インテリジェントターミナルを利用して大小便がされたことを喚起する。
【図面の簡単な説明】
【００１８】
以下、図面を参照しながら本考案の具体的な実施形態を詳しく説明する。
【００１９】
【図１】本考案の大小便検知センサの具体的な実施例の構造模式図である。
【図２】本考案の大小便検知センサの具体的な実施例の断面図である。
【図３】本考案のおむつの具体的な実施例の構造模式図である。
【図４】本考案のおむつの具体的な実施例の断面図である。
【図５】本考案のおむつの具体的な実施例における吸収コア層及びセンサの位置模式図である。
【図６】本考案のおむつの他の具体的な実施例における吸収コア層及びセンサの位置模式図である。
【考案を実施するための形態】
【００２０】
説明すべきこととして、矛盾のない限り、本願の実施例、及び実施例の特徴を互いに組み合わせることができる。
【００２１】
図１〜図２に示されるように、全体がベルト状をなし、親水性の第一ベースシート１と、第一ベースシート１に設けられ第一導電性ストリップ２１、第二導電性ストリップ２２及び第三導電性ストリップ２３を含む導電性ストリップグループ２と、第一接着剤層３と、第一接着剤層の表面に設けられる剥離ライナ４とを含む大小便検知センサにおいて、
第二導電性ストリップ２２と第三導電性ストリップ２３は、それぞれ第一導電性ストリップ２１の両側に位置し、第一導電性ストリップ２１と離間し且つ平行になっており、第二導電性ストリップ２２又は第三導電性ストリップ２３の中部には一つの誤警報貫通孔５が設けられ、対応する他方の導電性ストリップ上にはバリア層６が被覆され、誤警報貫通孔５は、対応する導電性ストリップを二段に分割しており、センサが大便検知域と小便検知域とに分けられ、センサの先端７から誤警報貫通孔５までの間が小便域であり、バリア層６からセンサの末端までが大便域である。誤警報貫通孔５からバリア層６の尾端までの間が隔離域ＤＤである。
【００２２】
使用の際、着用者が小便をしたときには、親水性の第一ベースシート１の上部が濡れてしまうが、第二導電性ストリップ２２上にバリア層６が被覆されているので、小便域において第二導電性ストリップ２２は無効であり、第一導電性ストリップ２１と第三導電性ストリップ２３との間の抵抗が小さくなり、大便をしたときには、第一ベースシート１の下部が濡れてしまうが、誤警報貫通孔５により第三導電性ストリップ２３が２段に分割されるので、大便域において第三導電性ストリップ２３は無効であり、このとき、第一導電性ストリップ２１と第二導電性ストリップ２２との間の抵抗が小さくなる。以上のことからわかるように、３つの導電性ストリップ間の抵抗の変化により大小便の検知を実現できる。
【００２３】
さらに、水分の拡散作用により、大小便域の水分が互いに拡散する現象が生じて、これにより大小便の誤警報をもたらし得るが、バリア層６の長さを延ばすことでこの問題の解決に有益になる。バリア層６は、センサの先端７から始まり、且つ長さがセンサの先端から誤警報貫通孔５までの垂直長さより長いが、センサの長さよりは短く、センサの先端７は、通信トリガ装置に接続するためのものであり、これにより誤警報貫通孔５からバリア層６の尾端までの間に隔離域ＤＤが形成され、大小便域に対する水分拡散用空間を与えて、誤警報を防止することができる。
【００２４】
さらに、好ましい実施形態として、導電性ストリップと水分との接触をバリア層によって良好に遮断するために、バリア層６の幅が導電性ストリップより大きい。
【００２５】
さらに、好ましい実施形態として、回路部分との接続の便利性のために、第一、二、三導電性ストリップ２１，２２，２３には、それぞれ第一、二、三導電性接続部が設けられ、第一、二、三導電性接続部はセンサの先端７に設けられる。
【００２６】
同じ理由で、誤警報貫通孔５が第二導電性ストリップ２２に設けられるが、バリア層６が第三導電性ストリップ２３に設けられても同様に上述の態様を実現できる。
【００２７】
図３に示すように、おむつは、上部に大小便検知センサ９が設けられるおむつ本体８を含み、図１に示す第一〜第三導電性ストリップ２１、２２、２３は、着用者の股部を通ることができ、且つ大小便検知センサ９の隔離域ＤＤは、着用者の肛門部と陰部との間に位置し、大小便検知センサ９の大小便検知域にそれぞれ対応する。
【００２８】
図４に示すように、おむつには、上から順に、親水性面層１０、第一導流層１１、吸収コア層１２、第二導流層１３及び複合下地膜１４が設けられ、大小便検知センサ９は、親水性面層１０と第一導流層１１との間に設けられる。
【００２９】
図５に示すように、吸収コア層１２の中部には仕切り域Ｄがあり、大小便検知センサ９の隔離域ＤＤはおむつの仕切り域Ｄに位置する。おむつ着用者が大小便をする際に、おむつの小便域Ｂと大便域Ａは、吸収コア層１２の吸着作用により濡れるが、小便域Ｂと大便域Ａは、大小便検知センサ９の小便検知域ＢＢと大便検知域ＡＡにそれぞれ対応し、吸引コア層１２は、水分吸収に有益であり、これにより大小便に対する大小便検知センサ９の検知がより正確になる。同時に、吸収コア層１２の中部に仕切り域Ｄを設けることにより、大小便検知域が離間されて、大小便の検知の誤警報を防止する。
【００３０】
さらに、好ましい実施形態として、図６に示すように、大便域Ａには吸収コア層が設けられておらず、このような形態は大便水分の吸収に不利であるが、おむつの製造コストが低減され（吸収コア層が減少する）、且つ通常は大便後に保護者がおむつを直ちに交換するので、吸収の必要性がない。
【００３１】
さらに、大小便検知センサ９上のバリア層６は、仕切域Ｄを通り、小便域の水分が大便域に拡散することを防止する。
【００３２】
おむつは、第一、第二、第三導電性ストリップ２１，２２，２３の間の電気的特徴を収集するための収集ユニット、収集された電気的特徴に基づいて着用者が排便したか否かを判断し、且つ大便と小便を区分するための処理ユニット、及びインテリジェントターミナルとの通信に用いられ、大小便の検知情報をインテリジェントターミナルに送信する無線通信モジュールを含む一つの通信トリガ装置をさらに含む。無線通信モジュールは、ｗｉｆｉ通信モジュール、ブルートゥース（登録商標）通信モジュール、ＺｉｇＢｅｅ通信モジュール又はＮＦＣ通信モジュールを含む。
【００３３】
大小便監視システムは、おむつとインテリジェントターミナルとを含み、おむつは、無線通信モジュールによりインテリジェントターミナルに接続されてデータの通信を行う。このように、インテリジェントターミナルを利用して大小便がされたことを喚起するか、又はインテリジェントターミナルを利用しておむつを調整し、これにより着用者の使用体験を大いに向上させた。
【００３４】
さらに、インテリジェントターミナルは、携帯電話又はタブレットパソコンを含む。
【００３５】
以上、本考案の好ましい実施形態について詳しく説明したが、本考案は実施例に限定されることなく、当業者であれば、本考案の趣旨を逸脱しない範囲で、種々の等価の変形又は置き換えを行うことができ、これらの等価の変形又は置き換えは、いずれも本願の請求の範囲で限定する範囲に含まれる。
【符号の説明】
【００３６】
１：第一ベースシート
２：導電性ストリップグループ
３：第一接着剤層
４：剥離ライナ
５：誤警報貫通孔
６：バリア層
７：センサの先端
８：おむつ本体
９：大小便検知センサ
１０：親水性面層
１１：第一導流層
１２：吸収コア層
１３：第二導流層
１４：複合下地膜
２１：第一導電性ストリップ
２２：第二導電性ストリップ
２３：第三導電性ストリップ
【図１】
0003210792.tif 000003
【図２】
0003210792.tif 000004
【図３】
0003210792.tif 000005
【図４】
0003210792.tif 000006
【図５】
0003210792.tif 000007
【図６】
0003210792.tif 000008